(57)【要約】【課題】乗場フロアカットを行う場合には指定された階の乗場の利用者に操作釦が操作されることを防ぐとともに、意匠性を向上させることができるエレベータ装置を得る。【解決手段】開口部２ａを有し、開口部２ａが乗場側を向くように設けられた収容箱２と、操作されることにより乗場呼びが登録される操作釦７を有し、操作釦７が開口部２ａを介して乗場に露出する操作釦露出位置と操作釦７が収容箱２に隠される操作釦隠し位置との間で回転により変位するように収容箱２に収容された乗場呼び登録装置３と、乗場呼び登録装置３を回転させる回転装置６と、回転装置６の駆動を制御するエレベータ制御盤４とを備えている。【選択図】図２
2012116630.tif 000002
【特許請求の範囲】
【請求項１】
開口部を有し、前記開口部が乗場側を向くように設けられた収容部材と、
操作されることにより乗場呼びが登録される操作釦を有し、前記操作釦が前記開口部を介して前記乗場に露出する操作釦露出位置と前記操作釦が前記収容部材に隠される操作釦隠し位置との間で回転により変位するように前記収容部材に収容された乗場呼び登録装置と、
前記乗場呼び登録装置を回転させる回転装置と、
前記回転装置の駆動を制御する制御装置とを備えたことを特徴とするエレベータ装置。
【請求項２】
前記乗場呼び登録装置に当接可能に設けられ、前記回転装置の駆動が停止しているときに前記乗場呼び登録装置の回転を規制する規制装置をさらに備えたことを特徴とする請求項１に記載のエレベータ装置。
【請求項３】
前記規制装置は、前記乗場呼び登録装置に向かって出し入れされるプランジャを有していることを特徴とすることを特徴とする請求項２に記載のエレベータ装置。
【発明の詳細な説明】
【技術分野】
【０００１】
この発明は、乗場呼び登録装置を備えたエレベータ装置に関する。
【背景技術】
【０００２】
従来、操作されることにより乗場呼びが登録される操作釦を有した乗場呼び登録装置と、操作釦を覆う覆い位置と操作釦が露出する露出位置との間でスライドする隠し板とを備えたエレベータ装置が知られている。指定された階の乗場への乗場呼びを無効にする乗場フロアカットを行う場合には、指定された階の乗場の利用者に操作釦が操作されるのを防ぐために、隠し板が覆い位置に移動する（例えば、特許文献１参照）。
【先行技術文献】
【特許文献】
【０００３】
【特許文献１】特開２００４−３２３１７１号公報
【発明の概要】
【発明が解決しようとする課題】
【０００４】
しかしながら、隠し板が操作釦を覆うので、意匠性が悪いという問題点があった。
【０００５】
この発明は、乗場フロアカットを行う場合には指定された階の乗場の利用者に操作釦が操作されることを防ぐとともに、意匠性を向上させることができるエレベータ装置を提供するものである。
【課題を解決するための手段】
【０００６】
この発明に係るエレベータ装置は、開口部を有し、前記開口部が乗場側を向くように設けられた収容部材と、操作されることにより乗場呼びが登録される操作釦を有し、前記操作釦が前記開口部を介して前記乗場に露出する操作釦露出位置と前記操作釦が前記収容部材に隠される操作釦隠し位置との間で回転により変位するように前記収容部材に収容された乗場呼び登録装置と、前記乗場呼び登録装置を回転させる回転装置と、前記回転装置の駆動を制御する制御装置とを備えている。
【発明の効果】
【０００７】
この発明に係るエレベータ装置によれば、回転装置が乗場呼び登録装置を回転させることにより、操作釦が乗場に露出する操作釦露出位置と、操作釦が収容部材に隠される操作釦隠し位置との間で乗場呼び登録装置が変位するので、乗場フロアカットを行う場合には指定された階の乗場の利用者に操作釦が操作されることを防ぐとともに、意匠性を向上させることができる。
【図面の簡単な説明】
【０００８】
【図１】この発明の実施の形態１に係るエレベータ装置を示すブロック図である。
【図２】図１のエレベータ装置の要部を示す拡大図である。
【図３】図２の収容箱と乗場呼び登録装置と回転装置とを示す縦断面図である。
【図４】図３のＩＶ−ＩＶ線に沿った矢視断面図である。
【図５】図４の乗場呼び登録装置を回転させた状態を示す側断面図である。
【図６】この発明の実施の形態２に係るエレベータ装置を示すブロック図である。
【図７】図６の収容箱と乗場呼び登録装置と回転装置と規制装置とを示す側断面図である。
【図８】図７のプランジャを変位させた状態を示す側断面図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエレベータ装置を示すブロック図、図２は図１のエレベータ装置の要部を示す拡大図である。図において、各乗場の壁１には、収容箱（収容部材）２が設けられている。各収容箱２には、利用者により操作される乗場呼び登録装置３が設けられている。各乗場呼び登録装置３には、かご（図示せず）の昇降を制御するエレベータ制御盤（制御装置）４が電気的に接続されている。
【００１１】
乗場呼び登録装置３は、乗場呼び登録装置３が操作されることにより、操作信号をエレベータ制御盤４に送るようになっている。乗場呼び登録装置３からエレベータ制御盤４に送られる操作信号には、乗場呼び登録装置３が操作された階の情報が含まれている。エレベータ制御盤４は、乗場呼び登録装置３からの操作信号に基づいて、乗場呼びを登録する。
【００１２】
エレベータ制御盤４には、操作装置５が電気的に接続されている。操作装置５は、操作装置５が操作されることにより、操作信号をエレベータ制御盤４に送られるようになっている。操作装置５からエレベータ制御盤４に送られる操作信号には、乗場フロアカットが行われる指定の階についての情報が含まれている。エレベータ制御盤４は、操作装置５からの操作信号に基づいて、指定された階の乗場への乗場呼びを無効にする。
【００１３】
収容箱２には、乗場呼び登録装置３を回転させる回転装置６が設けられている。エレベータ制御盤４には、回転装置６が電気的に接続されている。エレベータ制御盤４は、操作装置５からの操作信号に基づいて、回転装置６の駆動を制御する。
【００１４】
図３は図２の収容箱２と乗場呼び登録装置３と回転装置６とを示す縦断面図、図４は図３のＩＶ−ＩＶ線に沿った矢視断面図である。図において、収容箱２は、乗場側を向くように設けられた開口部２ａを有している。乗場呼び登録装置３は、利用者に操作されることにより乗場呼び登録が行われる操作釦７と、かごが配置されている階を示す表示部８と、操作釦７および表示部８が取り付けられた直方体形状の箱部９とを有している。操作釦７および表示部８は、ともに箱部９の第１の面１０に配置されている。箱部９の第１の面１０に対向する箱部９の面は、第２の面１１となっている。
【００１５】
回転装置６は、エレベータ制御盤（図２）４の制御により駆動するモータ１２と、モータ１２の駆動により回転する回転軸１３と、収容箱２の壁に設けられ、回転軸１３を回転可能に支持する軸受１４とを有している。箱部９には、回転軸１３が固定されている。これにより、乗場呼び登録装置３は、回転軸１３の回転に連動して回転する。乗場呼び登録装置３とエレベータ制御盤４とを電気的に接続する配線は、回転軸１３の中を通るように配置されている。
【００１６】
図５は図４の乗場呼び登録装置３を回転させた状態を示す側断面図である。乗場呼び登録装置３は、モータ１２の駆動により、操作釦７が開口部２ａを介して乗場に露出する操作釦露出位置（図４）と操作釦７が収容箱２に隠される操作釦隠し位置（図５）との間で回転により変位する。つまり、乗場呼び登録装置３は、乗場呼び登録装置３が操作釦露出位置に配置されているときに第１の面１０が乗場に対向し、乗場呼び登録装置３が操作釦隠し位置に配置されているときに第２の面１１が乗場に対向する。
【００１７】
この発明の実施の形態１に係るエレベータ装置は、収容箱２と、乗場呼び登録装置３と、エレベータ制御盤４と、操作装置５と、回転装置６とを備えている。
【００１８】
次に、エレベータ装置の乗場フロアカットを設定する作業について説明する。所定の階の乗場への乗場呼びを無効にする乗場フロアカットを行う場合には、作業者が操作装置５を操作して、乗場フロアカットが行われる階が指定される。これにより、操作装置５の操作信号がエレベータ制御盤４に送られる。
【００１９】
エレベータ制御盤４は、操作装置５からの操作信号に基づいて、乗場フロアカットが行われる階の乗場の回転装置６を駆動させる。回転装置６が駆動することにより、指定された階の乗場呼び登録装置３は、操作釦露出位置から操作釦隠し位置に回転により変位する。乗場フロアカットが指定されていない他の階の乗場呼び登録装置３の位置は、操作釦露出位置のままである。
【００２０】
また、エレベータ制御盤４は、操作装置５からの操作信号に基づいて、乗場フロアカットが行われる階の乗場の乗場呼び登録装置３の操作釦７を不能にする。つまり、乗場フロアカットされた階の乗場の乗場呼び登録装置３の操作釦７が操作されても、エレベータ制御盤４は、その階の乗場への乗場呼びの登録を行わない。以上により、エレベータ装置の乗場フロアカットを設定する作業が終了する。
【００２１】
以上説明したように、この発明の実施の形態１に係るエレベータ装置によれば、回転装置６が乗場呼び登録装置３を回転させることにより、操作釦７が乗場に露出する操作釦露出位置と、操作釦７が収容箱２に隠される操作釦隠し位置との間で乗場呼び登録装置３が変位するので、乗場フロアカットを行う場合には指定された階の乗場の利用者に操作釦７が操作されることを防ぐとともに、意匠性を向上させることができる。
【００２２】
実施の形態２．
図６はこの発明の実施の形態２に係るエレベータ装置を示すブロック図である。図において、この発明の実施の形態２に係るエレベータ装置は、乗場呼び登録装置３の回転を規制する一対の規制装置１５をさらに備えている。規制装置１５は、収容箱２に設けられている。規制装置１５は、エレベータ制御盤４と電気的に接続されている。エレベータ制御盤４は、操作装置５からの操作信号に基づいて、規制装置１５の駆動を制御する。
【００２３】
図７は図６の収容箱２と乗場呼び登録装置３と回転装置６と規制装置１５とを示す側断面図である。図において、規制装置１５は、収容箱２内で乗場呼び登録装置３に向かって出し入れされる鉄製のプランジャ１６と、プランジャ１６を付勢するスプリング１７と、通電されることによりスプリング１７の付勢力に逆らってプランジャ１６を引き付ける電磁石１８とを有している。
【００２４】
プランジャ１６は、乗場呼び登録装置３の箱部９と当接する当接位置と箱部９から離れる離間位置との間で変位する。スプリング１７は、プランジャ１６の位置が当接位置となる方向に付勢する。電磁石１８は、プランジャ１６の位置が離間位置となるようにプランジャ１６を引き付ける。その他の構成は、実施の形態１と同様である。
【００２５】
図８は図７のプランジャ１６を変位させた状態を示す側断面図である。規制装置１５は、乗場呼び登録装置３が変位する前、つまり、回転装置６の駆動が停止しているときに、エレベータ制御盤４の制御により、電磁石１８が通電される。これにより、プランジャ１６が当接位置（図７）から離間位置（図８）に変位する。その結果、乗場呼び登録装置３が変位可能となる。
【００２６】
その後、実施の形態１と同様に、エレベータ制御盤４の制御により、乗場呼び登録装置３が操作釦露出位置から操作釦隠し位置に回転により変位する。
【００２７】
その後、エレベータ制御盤４の制御により、電磁石１８への通電が解除される。これにより、プランジャ１６が離間位置から当接位置に変位する。その結果、乗場呼び登録装置３の回転が規制される。
【００２８】
以上説明したように、この発明の実施の形態２に係るエレベータ装置によれば、乗場呼び登録装置３に当接可能に設けられ、回転装置６の駆動が停止しているときに乗場呼び登録装置３の回転を規制する規制装置１５を備えているので、回転装置６の駆動が停止しているときに、乗場呼び登録装置３が外力を受けることにより回転してしまうことを防止することができる。
【００２９】
また、規制装置１５は、乗場呼び登録装置３に向かって出し入れされるプランジャ１６を有しているので、簡単な構成で、予期しない乗場呼び登録装置３の回転を防ぐことができる。
【００３０】
なお、各上記実施の形態では、収容部材として、収容箱２を例に説明したが、収容箱２に限らず、壁１に凹部を形成し、凹部が形成された壁１に部分を収容部材としてもよい。
【００３１】
また、各上記実施の形態では、制御装置として、エレベータ制御盤４を例に説明したが、エレベータ制御盤４とは別に設けられた制御装置であってもよい。この場合、制御装置はエレベータ制御盤４と電気的に接続される。
【００３２】
また、上記実施の形態２では、規制装置１５が、プランジャ１６、スプリング１７および電磁石１８を有する構成について説明したが、例えば、モータと、モータの駆動により乗場呼び登録装置３に当接可能して乗場呼び登録装置３の回転を規制する当接部材とを有する構成であってもよい。
【符号の説明】
【００３３】
１  壁、２  収容箱（収容部材）、２ａ  開口部、３  乗場呼び登録装置、４  エレベータ制御盤（制御装置）、５  操作装置、６  回転装置、７  操作釦、８  表示部、９  箱部、１０  第１の面、１１  第２の面、１２  モータ、１３  回転軸、１４  軸受、１５  規制装置、１６  プランジャ、１７  スプリング、１８  電磁石。
【図１】
2012116630.tif 000003
【図２】
2012116630.tif 000004
【図３】
2012116630.tif 000005
【図４】
2012116630.tif 000006
【図５】
2012116630.tif 000007
【図６】
2012116630.tif 000008
【図７】
2012116630.tif 000009
【図８】
2012116630.tif 000010